(57)【特許請求の範囲】
【請求項１】
無線通信ネットワーク（１００）内の基地局へ、ワイヤレスデバイス（１２１，１２２）のために構成される少なくとも１つのチャネル状態情報（ＣＳＩ）プロセスについてのＣＳＩレポート内で送信されるべきＣＳＩ推定を決定するための、前記ワイヤレスデバイス（１２１，１２２）により実行される方法であって、
決定される時間ピリオドに対応するＣＳＩ推定を使用するための標識を含むメッセージを受信すること（３０１）と、
受信される前記標識に従って、前記基地局への前記ＣＳＩレポートにおいて使用すべきＣＳＩ推定を決定すること（３０２）と、前記ワイヤレスデバイスは、前記時間ピリオド内の単一の時間インスタンスでのＣＳＩ測定に対応する前記ＣＳＩ推定をレポートするように前記基地局により強制されることと、
を含む方法。
【請求項２】
前記メッセージは、前記少なくとも１つのＣＳＩプロセスを再構成するための無線リソース制御（ＲＲＣ）再構成メッセージの一部として、前記少なくとも１つのＣＳＩプロセスを再構成するためのブロードキャストされる再構成メッセージの一部として、又はダウンリンク制御情報（ＤＣＩ）の一部として受信される、請求項１に記載の方法。
【請求項３】
前記決定すること（３０２）は、前記メッセージ内の前記標識が決定される時間ピリオドに対応するＣＳＩ推定を使用するように示している場合に、決定される前記時間ピリオドに対応しない既存のＣＳＩ推定を破棄し、及び決定される前記時間ピリオドに対応する新たなＣＳＩ推定を決定すること、をさらに含む、請求項１又は請求項２に記載の方法。
【請求項４】
前記基地局へ決定される前記時間ピリオドの確認を送信すること（３０３）、をさらに含む、請求項３に記載の方法。
【請求項５】
無線通信ネットワーク（１００）内の基地局へ、ワイヤレスデバイス（１２１，１２２）のために構成される少なくとも１つのチャネル状態情報（ＣＳＩ）プロセスについてのＣＳＩレポート内で送信されるべきＣＳＩ推定を決定するための、前記ワイヤレスデバイス（１２１，１２２）であって、
決定される時間ピリオドに対応するＣＳＩ推定を使用するための標識を含むメッセージを受信し、
受信される前記標識に従って、前記基地局への前記ＣＳＩレポートにおいて使用すべきＣＳＩ推定を決定する、
ように構成され、前記ワイヤレスデバイスは、前記時間ピリオド内の単一の時間インスタンスでのＣＳＩ測定に対応する前記ＣＳＩ推定をレポートするように前記基地局により強制される、
ワイヤレスデバイス（１２１，１２２）。
【請求項６】
前記メッセージを、前記少なくとも１つのＣＳＩプロセスを再構成するための無線リソース制御（ＲＲＣ）再構成メッセージの一部として、前記少なくとも１つのＣＳＩプロセスを再構成するためのブロードキャストされる再構成メッセージの一部として、又はダウンリンク制御情報（ＤＣＩ）の一部として受信する、ようにさらに構成される、請求項５に記載のワイヤレスデバイス（１２１，１２２）。
【請求項７】
前記メッセージ内の前記標識が決定される時間ピリオドに対応するＣＳＩ推定を使用するように示している場合に、決定される前記時間ピリオドに対応しない既存のＣＳＩ推定を破棄し、及び決定される前記時間ピリオドに対応する新たなＣＳＩ推定を決定する、ようにさらに構成される、請求項５又は請求項６に記載のワイヤレスデバイス（１２１，１２２）。
【請求項８】
前記基地局へ決定される前記時間ピリオドの確認を送信する、ようにさらに構成される、請求項７に記載のワイヤレスデバイス（１２１，１２２）。
【請求項９】
プロセッサと、前記プロセッサにより実行可能な命令を収容するメモリと、を含む処理手段を備える、請求項５〜８のいずれかに記載のワイヤレスデバイス（１２１，１２２）。
【請求項１０】
１つ以上のワイヤレスデバイス（１２１，１２２）により無線通信ネットワーク（１００）内の基地局へ前記１つ以上のワイヤレスデバイス（１２１，１２２）のために構成される少なくとも１つのチャネル状態情報（ＣＳＩ）プロセスのＣＳＩレポート内で送信されるＣＳＩ推定を制御するための、前記基地局により実行される方法であって、
前記１つ以上のワイヤレスデバイス（１２１，１２２）からの前記ＣＳＩ推定が少なくとも１つの送信条件の変化に起因してもはや有効ではないことを判定すること（２０１）と、
前記１つ以上のワイヤレスデバイス（１２１，１２２）へ、決定される時間ピリオドに対応するＣＳＩ推定を使用することを前記ワイヤレスデバイスへ指示する標識を含むメッセージを送信すること（２０２）と、
を含み、前記基地局は、前記時間ピリオド内の単一の時間インスタンスでのＣＳＩ測定に対応する前記ＣＳＩ推定をレポートするように前記ワイヤレスデバイスに強制する、
方法。
【請求項１１】
前記基地局は、前記無線通信ネットワーク（１００）内の前記１つ以上のワイヤレスデバイス（１２１，１２２）へのビーム形成送信のために構成され、前記少なくとも１つの送信条件の前記変化は、前記１つ以上のワイヤレスデバイス（１２１，１２２）へのビーム形成送信において使用される送信ビームの変化である、請求項１０に記載の方法。
【請求項１２】
前記少なくとも１つの送信条件の前記変化は、前記１つ以上のワイヤレスデバイス（１２１，１２２）が位置するセル（１１５）内のトラフィック状況の変化、又は、決定される前記時間ピリオドの変化である、請求項１０又は請求項１１に記載の方法。
【請求項１３】
前記メッセージは、前記少なくとも１つのＣＳＩプロセスを再構成するための無線リソース制御（ＲＲＣ）再構成メッセージの一部として、前記少なくとも１つのＣＳＩプロセスを再構成するためのブロードキャストされる再構成メッセージの一部として、又はダウンリンク制御情報（ＤＣＩ）の一部として送信される、請求項１０〜１２のいずれかに記載の方法。
【請求項１４】
前記メッセージは、決定される時間ピリオドの標識を含む、請求項１０に記載の方法。
【請求項１５】
前記１つ以上のワイヤレスデバイス（１２１，１２２）から、決定される前記時間ピリオドの確認を受信すること（２０３）、をさらに含む、請求項１０〜１４のいずれかに記載の方法。
【請求項１６】
１つ以上のワイヤレスデバイス（１２１，１２２）により無線通信ネットワーク（１００）内の基地局へ前記１つ以上のワイヤレスデバイス（１２１，１２２）のために構成される少なくとも１つのチャネル状態情報（ＣＳＩ）プロセスのＣＳＩレポート内で送信されるＣＳＩ推定を制御するための、前記基地局であって、
前記１つ以上のワイヤレスデバイス（１２１，１２２）からの前記ＣＳＩ推定が少なくとも１つの送信条件の変化に起因してもはや有効ではないことを判定し、
前記１つ以上のワイヤレスデバイス（１２１，１２２）へ、決定される時間ピリオドに対応するＣＳＩ推定を使用することを前記ワイヤレスデバイスへ指示する標識を含むメッセージを送信する、
ように構成され、
前記基地局は、前記時間ピリオド内の単一の時間インスタンスでのＣＳＩ測定に対応する前記ＣＳＩ推定をレポートするように前記ワイヤレスデバイスに強制する、
基地局。
【請求項１７】
前記基地局は、前記無線通信ネットワーク（１００）内の前記１つ以上のワイヤレスデバイス（１２１，１２２）へのビーム形成送信のために構成され、前記少なくとも１つの送信条件の前記変化は、前記１つ以上のワイヤレスデバイス（１２１，１２２）へのビーム形成送信において使用される送信ビームの変化である、請求項１６に記載の基地局。
【請求項１８】
前記少なくとも１つの送信条件の前記変化は、前記１つ以上のワイヤレスデバイス（１２１，１２２）が位置するセル（１１５）内のトラフィック状況の変化、又は、決定される前記時間ピリオドの変化である、請求項１６又は請求項１７に記載の基地局。
【請求項１９】
前記メッセージは、前記少なくとも１つのＣＳＩプロセスを再構成するための無線リソース制御（ＲＲＣ）再構成メッセージの一部として、前記少なくとも１つのＣＳＩプロセスを再構成するためのブロードキャストされる再構成メッセージの一部として、又はダウンリンク制御情報（ＤＣＩ）の一部として送信される、請求項１６〜１８のいずれかに記載の基地局。
【請求項２０】
前記メッセージは、決定される時間ピリオドの標識を含む、請求項１６に記載の基地局。
【請求項２１】
前記１つ以上のワイヤレスデバイス（１２１，１２２）から、決定される前記時間ピリオドの確認を受信すること、をさらに含む、請求項１６〜２０のいずれかに記載の基地局。
【請求項２２】
プロセッサと、前記プロセッサにより実行可能な命令を収容するメモリと、を含む処理手段を備える、請求項１６〜２１のいずれかに記載の基地局。
【請求項２３】
少なくとも１つのプロセッサ上で実行された場合に、前記少なくとも１つのプロセッサに、請求項１〜４のいずれかに記載の方法を遂行させる命令、を含むコンピュータプログラム。
【請求項２４】
請求項２３に記載のコンピュータプログラムを収容するコンピュータ読取可能な記憶媒体。
【請求項２５】
少なくとも１つのプロセッサ上で実行された場合に、前記少なくとも１つのプロセッサに、請求項１０〜１５のいずれかに記載の方法を遂行させる命令、を含むコンピュータプログラム。
【請求項２６】
請求項２５に記載のコンピュータプログラムを収容するコンピュータ読取可能な記憶媒体。
【発明の詳細な説明】
【技術分野】
【０００１】
ここでの実施形態は、無線通信ネットワークにおいてチャネル状態情報（ＣＳＩ）をレポートすることに関する。具体的には、ここでの実施形態は、無線通信ネットワークにおいてネットワークノードへ送信すべきＣＳＩ推定を判定するためのワイヤレスデバイス及びその方法と、無線通信ネットワークにおいて１つ以上のワイヤレスデバイスによりネットワークノードへ送信されるＣＳＩ推定を制御するためのネットワークノード及びその方法と、に関する。
【背景技術】
【０００２】
典型的な無線通信ネットワークにおいて、移動局、端末及び／又はユーザ機器（ＵＥ）としても知られるワイヤレスデバイスは、１つ以上のコアネットワークとの間で無線アクセスネットワーク（ＲＡＮ）を介して通信する。ＲＡＮは、複数のセルエリアに分割される地理的なエリアをカバーし、各セルエリアは、基地局、例えば無線基地局（ＲＢＳ）あるいはネットワークノードによってサービスされる。無線基地局あるいはネットワークノードは、いくつかのネットワークにおいて、“ＮｏｄｅＢ”、“ｅＮｏｄｅＢ”又は“ｅＮＢ”とも呼ばれ得る。セルは、基地局サイトにある無線基地局によって、又はアンテナと無線基地局とが共配置（co-locate）されていないケースではアンテナサイトによって無線カバレッジを提供される地理的なエリアである。各セルは、ローカル無線エリア内のＩＤ（identity）によって識別され、当該ＩＤは、当該セルにおいてブロードキャストされる。モバイルネットワーク全体においてセルを一意に識別する他のＩＤもまた、セル内でブロードキャストされる。１つの無線基地局は、１つ以上のセルを有してよい。基地局は、当該基地局のレンジ内にあるユーザ機器と、無線周波数上で動作するエアインタフェース上で通信する。
【０００３】
ＵＭＴＳ（Universal  Mobile  Telecommunications  System）は、第２世代（２Ｇ）のＧＳＭ（Global  System  for  Mobile  Communications）から進化した第３世代のモバイル通信システムである。ＵＴＲＡＮ（UMTS  Terrestrial  Radio  Access  Network）は、本質的に、ユーザ機器について広帯域符号分割多重アクセス及び／又は高速パケットアクセス（ＨＳＰＡ）を用いるＲＡＮである。第３世代パートナーシッププロジェクト（３ＧＰＰ）として知られるフォーラムにおいて、電気通信サプライヤは、具体的に第３世代ネットワーク及びＵＴＲＡＮ向けの標準について提案を行って合意し、データレート及び無線キャパシティの向上を検討している。例えばＵＭＴＳのように、ＲＡＮのいくつかのバージョンにおいて、例えば地上線で又はマイクロ波で、複数の基地局が無線ネットワークコントローラ（ＲＮＣ）又は基地局コントローラ（ＢＳＣ）などのコントローラノードへ接続されてよく、コントローラノードは、そこに接続された複数の基地局の多様なアクティビティを監督し及び協調させる。典型的には、複数のＲＮＣが１つ以上のコアネットワークへ接続される。
【０００４】
拡張パケットシステム（ＥＰＳ）についての仕様化は第３世代パートナーシッププロジェクト（３ＧＰＰ）内では完了済みであり、その作業は今後の３ＧＰＰリリースにおいて継続される。ＥＰＳは、ＬＴＥ（Long  Term  Evolution）無線アクセスとしても知られるＥ−ＵＴＲＡＮ（Evolved  Universal  Terrestrial  Radio  Access  Network）と、ＳＡＥ（System  Architecture  Evolution）コアネットワークとしても知られ得る拡張パケットコア（Evolved  Packet  Core）とを含む。Ｅ−ＵＴＲＡＮ／ＬＴＥは、３ＧＰＰ無線アクセス技術の変種であり、当該技術において、無線基地局ノードは、ＲＮＣへ接続されるよりもむしろ、ＥＰＣコアネットワークへ直接的に接続される。概して、Ｅ−ＵＴＲＡＮ／ＬＴＥにおいて、１つのＲＮＣの機能群は、例えばＬＴＥではｅＮｏｄｅＢである複数の無線基地局ノードと、コアネットワークとの間で分散される。そのようにして、ＥＰＳの無線アクセスネットワーク（ＲＡＮ）は、ＲＮＣへのレポーティングの無い、複数の無線基地局を含む本質的に“フラット”なアーキテクチャを有する。
【０００５】
無線通信ネットワークにおいて、ワイヤレスデバイスへの送信の際にどの送信パラメータを使用すべきかを知る目的で、無線基地局がチャネル条件を測定する必要性が存在する。それらパラメータは、例えば、変調タイプ、符号化レート、送信ランク及び周波数割り当てを含み得る。これは、ダウンリンク送信と共にアップリンクにもあてはまる。
【０００６】
送信パラメータについての決定を行うスケジューラは、典型的には、無線基地局内に位置する。よって、スケジューラは、ワイヤレスデバイスが送信する既知のリファレンス信号を用いて、アップリンクのチャネル特性を直接的に測定し得る。そして、それら測定結果は、無線基地局が行うアップリンクのスケジューリング決定のための基礎となり、次いでダウンリンク制御チャネルを介してワイヤレスデバイスへと送信される。
【０００７】
一方、ダウンリンクについては、無線基地局は、周波数分割複信（ＦＤＤ）動作モードでは、チャネルパラメータを測定することができない。時間分割複信（ＴＤＤ）動作モードでは、アップリンク測定結果をダウンリンクにおいて使用し得るであろう。但し、キャリブレーションの問題で、それらアップリンク測定結果は、使用されているダウンリンクチャネルを反映しないかもしれず、従って、ダウンリンクチャネル条件の測定結果としての使用にはそれほど適さないであろう。
【０００８】
従って、無線基地局は、代わりに、ワイヤレスデバイスが収集してその後無線基地局へと返送し得るチャネル条件に関する情報に依拠しなければならない。このいわゆるチャネル状態情報（ＣＳＩ）は、ダウンリンクにおいて送信されるチャネル状態情報リファレンスシンボル（ＣＳＩ−ＲＳ）（例えば、３ＧＰＰ  ＴＳ３６．２１３  Ｖ１１．４．０参照）などの既知のリファレンスシンボルについて測定を行うことで、ワイヤレスデバイスにより取得される。
【０００９】
ＣＳＩ−ＲＳリソースは、無線リソース制御（ＲＲＣ）シグナリングを用いることにより各ワイヤレスデバイスについて固有に構成される。リソースは、例えば２０サブフレームごとのように周期的に発生するあるサブフレームにおけるリソースエレメントの集合である。非ゼロパワー（ＮＺＰ）ＣＳＩ−ＲＳリソース及びゼロパワー（ＺＰ）ＣＳＩ−ＲＳリソースの双方が構成される可能性がある。ＺＰ  ＣＳＩ−ＲＳリソースは、単に、近隣の無線基地局におけるＮＺＰ  ＣＳＩ−ＲＳにマッチし得る未使用の無線リソースである。そして、これは近隣の無線基地局のセルにおけるＣＳＩ−ＲＳ測定についてのＳＩＮＲを改善するために使用され得る。但し、ＺＰ  ＣＳＩ−ＲＳリソースは、ＣＳＩ−ＩＭ（Interference  Measurement）リソースとしても言及され又は使用され得る。これらは、時間／周波数グリッドにおいてＣＳＩ−ＲＳと同じ物理的位置上に定義され、但しゼロパワーを伴う。ワイヤレスデバイスは、そこで、通常は何らかの周囲の干渉よりもかなり強いＣＳＩ−ＲＳ信号に直に重なることなく、干渉信号のパワーを測定する可能性を与えられるように意図される。
【００１０】
各ワイヤレスデバイスは、１、３、又は４つの異なるＣＳＩプロセスと共に構成され得る。各ＣＳＩプロセスは、ＣＳＩ−ＲＳリソース及びＣＳＩ−ＩＭリソースに関連付けられる。これらＣＳＩリソースは、周期的に生じ得るＲＲＣシグナリングにより、ワイヤレスデバイスにおいて構成され得る（例えば、３ＧＰＰ  ＴＳ３６．２１３  Ｖ１１．４．０、２０１３年９月、セクション７．２．５〜７．２．６参照）。例えば、ＲＲＣ構成メッセージは、５ｍｓごとに、即ちサブフレーム５つごとに周期的に送信され得る。代替的に、ＲＲＣ構成メッセージは、非周期的なやり方で送信されてもよく、無線基地局からワイヤレスデバイスへの制御メッセージにおいてトリガされてもよい。
【００１１】
１つのＣＳＩプロセスのみが使用される場合、ネットワークは、他の全ての無線基地局からの干渉をＣＳＩ−ＩＭに反映させることが通常であり、サービング無線基地局のセルはＣＳＩ−ＩＭと重なるＺＰ  ＣＳＩ−ＲＳを使用するが、他の近隣の無線基地局には、それらのリソース上にＺＰ  ＣＳＩ−ＲＳは存在しない。この手法で、ワイヤレスデバイスは、ＣＳＩ−ＩＭリソースでの測定を用いて、近隣セルからの干渉を測定し得る。
【００１２】
１つよりも多くのＣＳＩプロセスがワイヤレスデバイスについて構成される場合、ネットワークは、近隣の無線基地局において、ワイヤレスデバイスについて構成されるＣＳＩプロセスのためのＣＳＩ−ＩＭと重複するＺＰ  ＣＳＩ−ＲＳをも構成することが可能である。この手法で、ワイヤレスデバイスは、この近隣のセルにて送信が行われていないケースについても、正確なＣＳＩ推定をフィードバックし得る。よって、複数の無線基地局の間の協調的なスケジューリングをサポートする測定が、複数のＣＳＩプロセスの使用と共に可能化される。あるＣＳＩプロセスは、最大限の干渉のケースについてのＣＳＩ推定をフィードバックし、他のＣＳＩプロセスは、近隣の好ましくは強力な与干渉セルがミュートしているケースについてのＣＳＩ測定結果をフィードバックする。上述したように、最大４つまでのＣＳＩプロセスがワイヤレスデバイスについて構成されてよく、それにより４つの異なる送信仮説のフィードバックが可能になる。
【００１３】
ワイヤレスデバイスについてＣＳＩプロセスが構成されると、ワイヤレスデバイスは、１つ又は複数のＣＳＩ測定結果を含む関連付けられるバッファ又はメモリを使用してよく、ＣＳＩ測定結果は、当該ＣＳＩプロセスのＣＳＩ推定を決定するために使用される。しかしながら、これらＣＳＩ推定がＣＳＩ測定結果からどのように決定されるかは、ワイヤレスデバイスの実装次第である。
【００１４】
ＬＴＥにおいて、ＣＳＩレポートのフォーマットは詳細に仕様化されており、チャネル品質インジケータ（ＣＱＩ）、ランクインジケータ（ＲＩ）及びプリコーディング行列インジケータ（ＰＭＩ）という形式でのＣＳＩ推定を含む。例えばＣＱＩ、ＲＩ及びＰＭＩであるＣＳＩ推定の品質及び信頼性は、来たるべきダウンリンク送信についてあり得る最良のスケジューリング決定を行うために無線基地局にとって重大である。
【発明の概要】
【発明が解決しようとする課題】
【００１５】
ここでの実施形態の目的は、無線通信ネットワークにおけるチャネル状態情報（ＣＳＩ）のレポーティングを改善することである。
【課題を解決するための手段】
【００１６】
ここでの実施形態の第１の観点によれば、上記目的は、無線通信ネットワーク内のネットワークノードへ、ワイヤレスデバイスのために構成される少なくとも１つのＣＳＩプロセスについてのＣＳＩレポート内で送信されるべきＣＳＩ推定を決定するための、上記ワイヤレスデバイスにより実行される方法により達成される。上記ワイヤレスデバイスは、既存のＣＳＩ推定を破棄するための標識及び／又は決定される時間ピリオドに対応するＣＳＩ推定を使用するための標識を含むメッセージを受信する。そして、上記ワイヤレスデバイスは、受信される上記標識に従って、上記ネットワークノードへの上記ＣＳＩレポートにおいて使用すべきＣＳＩ推定を決定する。
【００１７】
ここでの実施形態の第２の観点によれば、上記目的は、無線通信ネットワーク内のネットワークノードへ、ワイヤレスデバイスのために構成される少なくとも１つのＣＳＩプロセスについてのＣＳＩレポート内で送信されるべきＣＳＩ推定を決定するための、上記ワイヤレスデバイスにより達成される。上記ワイヤレスデバイスは、既存のＣＳＩ推定を破棄するための標識及び／又は決定される時間ピリオドに対応するＣＳＩ推定を使用するための標識を含むメッセージを受信する、ように構成される。また、上記ワイヤレスデバイスは、受信される上記標識に従って、上記ネットワークノードへの上記ＣＳＩレポートにおいて使用すべきＣＳＩ推定を決定する、ようにも構成される。
【００１８】
ここでの実施形態の第３の観点によれば、上記目的は、１つ以上のワイヤレスデバイスにより無線通信ネットワーク内のネットワークノードへ、上記１つ以上のワイヤレスデバイスのために構成される少なくとも１つのＣＳＩプロセスのＣＳＩレポート内で送信されるＣＳＩ推定を制御するための、上記ネットワークノードにより実行される方法により達成される。上記ネットワークノードは、上記１つ以上のワイヤレスデバイスからの上記ＣＳＩ推定が少なくとも１つの送信条件の変化に起因してもはや有効ではないことを判定する。そして、上記ネットワークノードは、上記１つ以上のワイヤレスデバイスへ、既存のＣＳＩ推定を破棄するための標識及び／又は決定される時間ピリオドに対応するＣＳＩ推定を使用するための標識を含むメッセージを送信する。
【００１９】
ここでの実施形態の第４の観点によれば、上記目的は、１つ以上のワイヤレスデバイスにより無線通信ネットワーク内のネットワークノードへ、上記１つ以上のワイヤレスデバイスのために構成される少なくとも１つのＣＳＩプロセスのＣＳＩレポート内で送信されるＣＳＩ推定を制御するための、上記ネットワークノードにより達成される。上記ネットワークノードは、上記１つ以上のワイヤレスデバイスからの上記ＣＳＩ推定が少なくとも１つの送信条件の変化に起因してもはや有効ではないことを判定する、ように構成される。また、上記ネットワークノードは、上記１つ以上のワイヤレスデバイスへ、既存のＣＳＩ推定を破棄するための標識及び／又は決定される時間ピリオドに対応するＣＳＩ推定を使用するための標識を含むメッセージを送信する、ようにも構成される。
【００２０】
ここでの実施形態の第５の観点によれば、上記目的は、少なくとも１つのプロセッサ上で実行された場合に、上記少なくとも１つのプロセッサに、上述した方法を遂行させる命令、を含むコンピュータプログラムにより達成される。ここでの実施形態の第６の観点によれば、上記目的は、電子信号、光信号、無線信号又はコンピュータ読取可能な記憶媒体のうちの１つである、上述したコンピュータプログラムを収容する担体、により達成される。
【発明の効果】
【００２１】
既存のＣＳＩ推定を破棄するためのメッセージ及び／又は判定される時間ピリオドに対応するＣＳＩ推定を使用するための標識を送信することにより、ネットワークノードは、ワイヤレスデバイスにおけるＣＳＩ測定結果のライフタイムを制御することができる。よって、ネットワークノードは、それらＣＳＩ測定結果に基づいてワイヤレスデバイスからレポートバックされるＣＳＩ推定が、ワイヤレスデバイスへの送信条件の変化よりも前にＣＳＩ測定が実行されたことによって不正確となっていないことを確実化することができ、それによりＣＳＩ推定の信頼性が改善すると同時に、送信されなければならないＲＲＣ再構成メッセージの数が低減され、無線通信ネットワーク内のワイヤレスデバイスのレイテンシ及びモビリティが改善される。
【００２２】
よって、無線通信ネットワークにおけるチャネル状態情報（ＣＳＩ）のレポーティングが改善される。
【図面の簡単な説明】
【００２３】
実施形態の特徴及び利点は、それらの例示的な実施形態の以下の詳細な説明によって、次の添付図面への参照と共に、当業者にとって容易に明白となるであろう
【００２４】
【図１】無線通信ネットワークにおけるネットワークノードの実施形態を示す概略ブロック図である。
【図２】ネットワークノードにおける方法の実施形態を描いたフローチャートである。
【図３】ワイヤレスデバイスにおける方法の実施形態を描いたフローチャートである。
【図４】ワイヤレスデバイスの実施形態を描いた概略ブロック図である。
【図５】ネットワークノードの実施形態を描いた概略ブロック図である。
【発明を実施するための形態】
【００２５】
簡明さのために図面は概略的であって簡略化されており、ここで提示される実施形態の理解にとって本質的な詳細がただ示されており、一方で他の詳細は除かれている。全般にわたり、同一の又は対応する部分又はステップについて、同じ参照番号が使用されている。
【００２６】
図１は、ここでの実施形態が実装され得る無線通信ネットワーク１００の一例を示している。図１ではＬＴＥネットワークとして描かれているものの、無線通信ネットワーク１００は、ＬＴＥアドバンスト、ＷＣＤＭＡ（Wideband  Code-Division  Multiple  Access）、ＧＳＭ／ＥＤＧＥ（Global  System  for  Mobile  communications/Enhanced  Data  rate  for  GSM  Evolution）、ＷｉＭＡＸ（Worldwide  Interoperability  for  Microwave  Access）、ＵＭＢ（Ultra  Mobile  Broadband）若しくはＧＳＭネットワーク、又は他の３ＧＰＰセルラーネットワーク若しくはシステムなどの、いかなるワイヤレス通信システムであってもよい。無線通信システム１００は、ネットワークノード１１０を含む。
【００２７】
ネットワークノード１１０は、例えば、ｅＮＢ、ｅＮｏｄｅＢ若しくはホームＮｏｄｅＢ、ホームｅＮｏｄｅＢ、フェムト基地局（ＢＳ）、ピコＢＳ、又は、無線通信システム１００においてワイヤレスデバイスにサービス可能な任意の他のネットワークユニットであってよい。また、ネットワークノード１１０は、無線基地局、基地局コントローラ、ネットワークコントローラ、リレーノード、リピータ、アクセスポイント、無線アクセスポイント、リモート無線ユニット（ＲＲＵ）、又はリモート無線ヘッド（ＲＲＨ）であってもよい。さらに、ネットワークノード１１０は、カバレッジ範囲の内部に位置するワイヤレスデバイスとのワイヤレス無線通信のための１つ以上のアンテナを備え、即ち、ネットワークノード１１０は、自身のアンテナのうちの１つ以上を用いて、そのセル１１５内の無線カバレッジを提供し得る。
【００２８】
セルは、基地局サイトにて無線基地局機器により、又は遠隔位置にてリモート無線ユニット（ＲＲＵ）により無線カバレッジが提供される地理的エリアとして理解され得る。セルの定義は、送信のために使用される周波数帯域及び無線アクセス技術をも包含してよく、それは、２つの異なるセルが異なる周波数帯域を使用して同じ地理的エリアをカバーし得ることを意味する。各セルは、局所的な無線エリア内のＩＤにより識別され、そのＩＤはセル内にブロードキャストされる。無線通信ネットワーク１００全体で各セルを一意に識別する他のＩＤもまた、セル内にブロードキャストされ得る。ネットワークノード１１０は、ネットワークノード１１０の範囲内のワイヤレスデバイスとの間で、無線周波数上で動作するエアインタフェース又は無線インタフェース上で通信する。
【００２９】
第１のワイヤレスデバイス１２１及び第２のワイヤレスデバイス１２２は、セル１１５の内部に位置する。ワイヤレスデバイス１２１、１２２は、ネットワークノード１１０によりサービスされるセル１０１内に存在する場合、無線リンク１３１上でネットワークノード１１０を介して、無線通信ネットワーク１００内で通信を行う、ように構成される。ワイヤレスデバイス１２１、１２２は、例えば、モバイルフォン、セルラーフォン、ＰＤＡ（Personal  Digital  Assistant）、スマートフォン、タブレット、ワイヤレスデバイスを具備するセンサ、ＬＭＥ（Laptop-Mounted  Equipment）（例えば、ＵＳＢ）、ＬＥＥ（Laptop-Embedded  Equipment）、ＭＴＣ（Machine-Type-Communication）デバイス、Ｄ２Ｄケイパビリティを伴うワイヤレスデバイス、ＣＰＥ（Customer  Premises  Equipment）などといった、いかなる種類のワイヤレスデバイスであってもよい。
【００３０】
さらに、以下の実施形態は図１のシナリオを参照しながら説明されるが、このシナリオはここでの実施形態に対する限定として解釈されるべきではなく、単に説明の目的でなされる一例として解釈されるべきである。
【００３１】
ここでの実施形態の検討の一部として、ワイヤレスデバイスがいかにして複数の時間インスタンスからのＣＳＩ測定結果を取得し及び／又は平均すべきかを、ＬＴＥ標準は詳細には仕様化していないことが見出された。これは、ワイヤレスデバイスがネットワークノードにとって未知の時間フレームにわたって測定を行い、ＣＳＩレポートのＣＳＩ推定を生成する目的で独自の手法で複数の測定結果を組み合わせ、そしてそれがネットワークノードへ送信されるであろうことを意味する。そのため、受信されるＣＳＩ推定がどの時間フレームにわたっていかにして収集されるか、及びワイヤレスデバイスによってそれらがいかにして計算されるかといった実際の処理を、ネットワークノードが知らないことになる。これは、ネットワークノードがその情報を評価し、そしてあり得る最良のダウンリンクスケジューリング決定を行うことを困難にする。よって、ＣＳＩ推定の信頼性を改善する必要性が存在する。
【００３２】
さらに、新たに発展中の無線通信技術においては、アレイアンテナの使用及びビームフォーミングが重要な特徴である。そうした無線通信技術は、ネットワークノードがビームとして知られる特定の空間方向において送信信号を送信し及び受信することを可能とする。この技術は、依然として開発中であり、個別の送信ビームを何らかの手法でワイヤレスデバイスにおいて識別可能でなければならない可能性が高い。これに対する１つの解決策は、所与のビーム又はビームのセットに関連付けられるビーム固有リファレンスシンボル（ＢＲＳ）リソース又はＣＳＩ−ＲＳリソースを使用することであるはずである。よって、ＣＳＩ−ＲＳリソースは、ビームを用いてデータを受信する際のチャネルを反映するようにビーム形成／プリコーディングされ得る。送信ビーム方向の制御は、ダウンリンクスケジューリングの一部としてネットワークノードにおいてハンドリングされる。ワイヤレスデバイス向けに使用されるビームの方向が送信時間インターバル（ＴＴＩ）ごとに変化し得ることもまた留意すべきである。
【００３３】
従って、そうした無線通信ネットワークにおいて、どの１つ又は複数のビームがワイヤレスデバイスをカバーするかがＴＴＩ間で全く変化し得ることから、ワイヤレスデバイスにおける“陳腐な（stale）”又は古くなった（outdated）ＣＳＩ推定の問題は、より大きく提起されることになるであろう。その理由は、ビームは角度ビーム幅において非常に狭く、ネットワークノードはワイヤレスデバイスがセルを通じて移動する際に非常に頻繁にワイヤレスデバイス向けに使用される送信ビームを変化させる必要があり得るからである。また、ＣＳＩ−ＲＳがビーム内で送信されることから、ビームを変化させることは、ワイヤレスデバイスについて使用されるＣＳＩ−ＲＳリソースの頻繁なＲＲＣ再構成をも要することになる。よって、他の課題は、ワイヤレスデバイスのモビリティと共にＣＳＩ−ＲＳのビーム形成をサポートするために、頻繁なＲＲＣ再構成を必要とすることである。
【００３４】
ここで説明される実施形態に従って、これら課題が、ワイヤレスデバイスにおけるＣＳＩ測定結果のライフタイムをネットワークが制御することを可能とすることにより解決される。また、これら課題は、ワイヤレスデバイス向けの少なくとも１つの送信条件の変化がある場合に、既存のＣＳＩ推定を破棄させるためのメッセージ及び／又は決定される時間ピリオドに対応するＣＳＩ推定を使用させるための標識をワイヤレスデバイスへ送信することにより、解決される。この手法で、ネットワークノードは、ワイヤレスデバイスからレポートバックされるＣＳＩ推定が、上記変化よりも前にＣＳＩ測定が実行されたことによって不正確とならないことを確実化することができる。それにより、無線通信ネットワークにおけるＣＳＩ推定の信頼性が改善される。
【００３５】
加えて、これは、ＣＳＩ−ＲＳを再構成する目的で無線通信ネットワークにおいてＲＲＣ再構成メッセージを送信する必要性をも低減するであろう。なぜなら、代わりに、ＣＳＩ測定結果は上記タイプのメッセージを用いてリセットされ得るからである。これは、無線通信ネットワーク内のワイヤレスデバイスのレイテンシ及びモビリティを改善するであろう。
【００３６】
そのため、それにより無線通信ネットワークにおけるＣＳＩのレポーティングが改善される。
【００３７】
無線通信ネットワーク１００内のネットワークノード１１０へ、１つ以上のワイヤレスデバイス１２１、１２２のために構成される少なくとも１つのＣＳＩプロセスのＣＳＩレポート内で上記１つ以上のワイヤレスデバイス１２１、１２２により送信されるチャネル状態情報（ＣＳＩ）推定を制御するための、ネットワークノード１１０により実行される方法の実施形態の例を、図２に示したフローチャートを参照しながら以下に説明する。
【００３８】
図２は、ネットワークノード１１０によりとられ得るアクション又は動作の一例を示している。但し、それらアクション又は動作は、コアネットワークノード、無線ネットワークコントローラ、無線リソース管理（ＲＲＭ）サーバ、又はＯＳＳ（Operations  Support  System）ノードなどといった、無線通信ネットワーク１００内の中央ネットワークノードによって実行されてもよいことにも留意すべきである。中央ネットワークノードは、例えば、分散されるリモート無線ユニット（ＲＲＵ）をＣＰＲＩ（Common  Public  Radio  Interface）を介して制御するｅＮＢ、又は、無線ヘッドをアクティブＤＡＳ（Distributed  Antenna  System）ネットワーク上で制御するｅＮＢであってもよい。上記方法は、以下のアクション群を含み得る。
【００３９】
［アクション２０１］
ネットワークノード１１０は、まず、１つ以上のワイヤレスデバイス１２１、１２２からのＣＳＩ推定が少なくとも１つの送信条件の変化に起因してもはや有効ではないことを判定する。
【００４０】
いくつかの実施形態において、ネットワークノード１１０は、無線通信ネットワーク１００内の１つ以上のワイヤレスデバイス１２１、１２２へのビーム形成送信のために構成されてよい。このケースにおいて、上記少なくとも１つの送信条件の変化は、１つ以上のワイヤレスデバイス１２１、１２２へのビーム形成送信において使用される送信ビームの変化であってよい。例えば、これは、ＣＳＩ−ＲＳ構成が変化せず、１つ以上のワイヤレスデバイス１２１、１２２が同じＣＳＩ−ＲＳ上での測定を維持すべきであって、但し当該ＣＳＩ−ＲＳを含む送信ビームが新たな方向を向いている場合に有利であり得る。
【００４１】
代替的に、上記少なくとも１つの送信条件の変化は、１つ以上のワイヤレスデバイス１２１、１２２が位置するセル１１５内のトラフィック状況の変化である。例えば、ネットワークノード１１０は、その時点のセル１１５又はセル１１５の近隣の他のセル内のワイヤレスデバイスについてのトラフィック状況が変化したために、ＣＳＩレポート内のＣＳＩ推定がその時点のチャネル条件を適切に反映するように、１つ以上のワイヤレスデバイス１２１、１２２において新たなＣＳＩ測定を実行することを要するということを、認識し又は判定してもよい。
【００４２】
他のオプションは、上記少なくとも１つの送信条件の変化が、決定される時間ピリオドの変化であるということである。これは、例えば、１つ以上のワイヤレスデバイス１２１、１２２において実行されるＣＳＩ測定について、ネットワークノード１１０において望ましい周期性が変化したということであり得る。
【００４３】
［アクション２０２］
アクション２０１における判定に続いて、ネットワークノード１１０は、１つ以上のワイヤレスデバイス１２１、１２２へ、既存のＣＳＩ推定を破棄するための標識及び／又は決定される時間ピリオドに対応するＣＳＩ推定を使用するための標識を含むメッセージを送信する。これは、例えば、ネットワークノード１１０が、１つ以上の具体的なＣＳＩプロセスに対応するＣＳＩバッファをフラッシュ（一掃）するために、１つ以上のワイヤレスデバイス１２１へメッセージを送信し得ることを意味する。有利なこととして、これは、無線通信ネットワーク１００内の１つ以上のワイヤレスデバイス１２１、１２２へＲＲＣ再構成メッセージを送信する必要なく実行され得る。
【００４４】
上記メッセージは、例えば、ＣＳＩバッファをフラッシュすべき１つ以上のＣＳＩプロセスの番号又は識別子を含んでもよい。一方、上記メッセージによって、例えば、全てのＣＳＩプロセスのＣＳＩバッファがフラッシュされるように、全てのＣＳＩ測定をフラッシュし又はリスタートすることを１つ以上のワイヤレスデバイス１２１、１２２へ明示的に指示してもよい。
【００４５】
よって、結果的に、ネットワークノード１１０は、例えば、１つ以上のワイヤレスデバイス１２１に１つ以上のＣＳＩプロセスについてＣＳＩ測定結果を蓄積し及び平均してＣＳＩ推定を形成することを停止させ、空のＣＳＩバッファで再開して、１つ以上のＣＳＩプロセスについて新たなＣＳＩ推定を形成する新たなＣＳＩ測定結果を収集させ得る。
【００４６】
いくつかの実施形態において、上記メッセージは、少なくとも１つのＣＳＩプロセスに関連付けられる少なくともＣＳＩリファレンスシンボル（ＣＳＩ−ＲＳ）リソースを介して決定されるＣＳＩ推定を破棄するための標識を含んでもよい。これは、有利には、ネットワークノード１１０が１つ以上のワイヤレスデバイス１２１、１２２に、上記少なくとも１つのＣＳＩプロセスのＣＳＩ−ＲＳバッファ、即ち、ＣＳＩ−ＲＳリソース又は非ゼロパワー（ＮＺＰ）ＣＳＩ−ＲＳリソースを介して決定されたＣＳＩ測定結果を含むＣＳＩバッファのみをフラッシュさせることを可能にする。よって、これらＣＳＩ−ＲＳバッファはリセットされる一方で、１つ以上のワイヤレスデバイス１２１、１２２は、ＣＳＩ−ＩＭバッファ、即ち、ＣＳＩ−ＩＭリソース又はゼロパワー（ＮＺＰ）ＣＳＩ−ＲＳリソースを介して決定されたＣＳＩ測定結果を含むＣＳＩバッファの内容を維持し得る。
【００４７】
代替的に、いくつかの実施形態において、上記メッセージは、上記少なくとも１つのＣＳＩプロセスに関連付けられる少なくともＣＳＩ干渉測定（ＣＳＩ−ＩＭ）リソースを介して決定されるＣＳＩ推定を破棄するための標識を含んでもよい。これは、有利には、ネットワークノード１１０が１つ以上のワイヤレスデバイス１２１、１２２に、少なくとも１つのＣＳＩプロセスのＣＳＩ−ＩＭバッファのみをフラッシュさせることを可能にする。
【００４８】
いくつかの実施形態によれば、上記メッセージは、少なくとも１つのＣＳＩプロセスを再構成する目的で、少なくとも１つのワイヤレスデバイス１２１へ、無線リソース制御（ＲＲＣ）再構成メッセージの一部として送信され得る。例えば、ネットワークノード１１０からの上位レイヤシグナリングにより典型的に制御されるＣＳＩプロセスの再構成が行われるとすぐに、ネットワークノード１１０は、上記メッセージを送信し得る。これは、例えば、１つの具体的なＣＳＩプロセスを再構成し但し少なくとも１つの他のＣＳＩプロセスのＣＳＩバッファをフラッシュする際に実行されてもよい。代替的に、ネットワークノード１１０は、再構成メッセージの必須の部分として上記メッセージを含めてもよい。
【００４９】
また、上記メッセージは、少なくとも１つのＣＳＩプロセスを再構成する目的で、ブロードキャストされる再構成メッセージの一部として、少なくとも１つのワイヤレスデバイス１２１へ送信されてもよい。これは、例えば、上記メッセージが例えばセル１１５などのセル内でいくつかの又は全てのワイヤレスデバイス１２１、１２２へブロードキャストされ得ることを意味する。その結果、各ワイヤレスデバイス１２１へ個別にメッセージが送信されるケースと比較して、シグナリングオーバヘッドが低減される。いくつか又は全てのワイヤレスデバイス１２１、１２２向けのそれらＣＳＩ測定結果をリスタートさせるためのブロードキャストされるそうしたメッセージは、有利なこととして、送信されるＣＳＩ−ＲＳリソースの大規模な再構成が行われる際にネットワークノード１１０により実行され得る。
【００５０】
他のオプションとして、上記メッセージは、ダウンリンク制御情報（ＤＣＩ）の一部として少なくとも１つのワイヤレスデバイス１２１へ送信されてもよい。
【００５１】
また、例えば、上記メッセージが例えば物理ダウンリンク制御チャネル（ＰＤＣＣＨ）又は拡張ＰＤＣＣＨ（ｅＰＤＣＣＨ）といったダウンリンク制御チャネルを介して送信されるダウンリンクメッセージであってよいことにも留意すべきである。ダウンリンクメッセージは、無線リソース制御（ＲＲＣ）シグナリングによって送信されてもよい。よって、ネットワークノード１１０により送信される上記メッセージは、制御メッセージ又は制御シグナリングメッセージとしても言及され得る。
【００５２】
いくつかの実施形態において、上記メッセージは、決定される時間ピリオドに対応するＣＳＩ推定を使用するための標識を含んでもよい。これは、ＣＳＩ推定の決定において使用されるＣＳＩ測定結果をＣＳＩプロセスが収集した時間フレームを、ネットワークノード１１０が制御し得ることを意味する。例えば、上記メッセージは、ＣＳＩ測定結果が
破棄されなければならなくなる前にどの程度の時間“新鮮（fresh）”であると見なされるか詳述してもよい。このタイプのメッセージは、ネットワークノード１１０により、特定のワイヤレスデバイス１２１を対象とされ、又はいくつかの若しくは全てのワイヤレスデバイス１２１、１２２へブロードキャストされ得る。上記メッセージは、例えば、適用可能なＣＳＩプロセス番号又はＩＤを含んでよく、かつ、例えばインデックス若しくはインジケータによって、又は何らかの適切な時間単位によって、ＣＳＩ推定を計算し又は決定するためにワイヤレスデバイス１２１によりどの程度の時間ＣＳＩ測定結果を使用してよいかを特定し得る。
【００５３】
１つの例によれば、ネットワークノード１１０は、ワイヤレスデバイス１２１に、単一の時間インスタンスから測定されたＣＳＩ測定結果に対応するＣＳＩ推定のみをレポートするよう、ＣＳＩ測定結果の平均化を行うことなくＣＳＩ推定をレポートすることを強制してもよい。そして、ネットワークノード１１０は、例えば、複数の選択されるＣＳＩ測定用時間インスタントからの複数のレポートされたＣＳＩ推定について自ら平均化を実行してもよい。
【００５４】
さらに、いくつかの実施形態において、上記メッセージは、決定される時間ピリオドの標識を含んでもよい。決定される時間ピリオドの標識は、例えば、ｎビットのフィールドであってもよく、当該フィールドは、ミリ秒又は他の何らかの適した時間スケールで、時間値の特定の範囲をカバーするｎの何らかの値のためのものである。決定される時間ピリオドの標識は、インデックス又はインジケータを特定の時間値に相関させるワイヤレスデバイス１２１、１２２内のテーブルに関する、複数のインデックス又は複数のインジケータのレンジのうちの一部をなすインデックス又はインジケータであってもよい。
【００５５】
［アクション２０３］
このオプションとしてのアクションにおいて、ネットワークノード１１０は、１つ以上のワイヤレスデバイス１２１、１２２から、決定される時間ピリオドの確認（confirmation）を受信してもよい。これは、アクション２０２においてネットワークノード１１０が決定される時間ピリオドに対応するＣＳＩ推定を使用するための標識を含むメッセージを送信したケースで行われ得る。この確認は、例えば、別個のメッセージとして又はＣＳＩレポートの一部として受信されてもよい。
【００５６】
これは、有利なこととして、ワイヤレスデバイス１２１がメッセージを正確に受信したことについてネットワークノード１１０が通知を受けることを可能にする。例えば、１つ以上のＣＳＩプロセスのＣＳＩバッファをフラッシュするためメッセージがネットワークノード１１０により特定のワイヤレスデバイス１２１へ向けられているケースにおいて、ネットワークノード１１０は、当該メッセージがその特定のワイヤレスデバイス１２１により正確に受信されたことを通知されることになる。また、例えば、１つ以上のＣＳＩプロセスのＣＳＩバッファをフラッシュするためのブロードキャストメッセージがネットワークノード１１０によりセル１１５内のいくつかの又は全てのワイヤレスデバイス１２１、１２２へ向けられているケースにおいて、ネットワークノード１１０は、セル１１５内のいくつかの又は全てのワイヤレスデバイス１２１、１２２のうちのどれがメッセージを正確に受信したかを通知されることになる。また、そのようにして、ネットワークノード１１０は、ワイヤレスデバイス１２１、１２２によりメッセージが正確に復号されたか、即ち、標識にて要求された程度に長い時間フレームにわたってＣＳＩレポート内でＣＳＩ推定をレポートする前に測定を行えるほど十分早くメッセージが復号されたこと、を通知される。
【００５７】
留意すべきこととして、上述した実施形態の利点は、ネットワークノード１１０における受信されるＣＳＩレポート内のＣＳＩ推定の有効性について改善された制御が提供されることである
【００５８】
さらに、ここで説明した実施形態によれば、陳腐な又は時機を失した（obsolete）ＣＳＩ測定結果を、ＲＲＣ再構成メッセージを送信する必要無く、ネットワークノード１１０により破棄し又は除去することができ、即ちＲＲＣシグナリングが最小化される。さらに、利点は、ＣＳＩ測定結果が取得された時間フレームがネットワークノード１１０において既知になり、ＣＳＩレポート内のＣＳＩ推定が決定され又は計算された正確な手法がネットワークノード１１０において既知になるという事実を含む。また、これら利点は、ダウンリンクスケジューリング決定を行う際の改善された基礎をネットワークノード１１０に提供する。
【００５９】
無線通信ネットワーク１００内のネットワークノード１１０へ、ワイヤレスデバイス１２１のために構成される少なくとも１つのチャネル状態情報（ＣＳＩ）プロセスについてのＣＳＩレポート内で送信されるべきＣＳＩ推定を決定するための、ワイヤレスデバイス１２１により実行される方法の実施形態の例を、図３に示したフローチャートを参照しながら以下に説明する。図３は、ワイヤレスデバイス１２１によりとられ得るアクション又は動作を描いた例である。上記方法は、次のアクション群を含み得る。
【００６０】
［アクション３０１］
ワイヤレスデバイス１２１は、既存のＣＳＩ推定を破棄するための標識及び／又は決定される時間ピリオドに対応するＣＳＩ推定を使用するための標識を含むメッセージを受信する。
【００６１】
いくつかの実施形態によれば、上記メッセージは、少なくとも１つのＣＳＩプロセスを再構成する目的で、ワイヤレスデバイス１２１への無線リソース制御（ＲＲＣ）再構成メッセージの一部として受信されてもよい。また、上記メッセージは、少なくとも１つのＣＳＩプロセスを再構成する目的で、ブロードキャストされる再構成メッセージの一部として受信されてもよい。他のオプションとして、上記メッセージは、ワイヤレスデバイス１２１へのダウンリンク制御情報（ＤＣＩ）の一部として受信されてもよい。
【００６２】
［アクション３０２］
アクション３０１において上記メッセージを受信した後、ワイヤレスデバイス１２１は、受信される標識に従って、ネットワークノード１１０へのＣＳＩレポートにおいて使用すべきＣＳＩ推定を決定する。
【００６３】
ワイヤレスデバイス１２１は、所与のＣＳＩプロセスについてＣＳＩ推定を決定し又は計算するために、少なくともＣＳＩ−ＲＳリソースに基づくＣＳＩ測定結果を継続的にバッファリングしており、潜在的にはＣＳＩ−ＩＭリソースに基づくＣＳＩ測定結果についても同様である。ＣＳＩ推定は、例えば、チャネル品質インジケータ（ＣＱＩ）、ランクインジケータ（ＲＩ）及びプリコーディング行列インジケータ（ＰＭＩ）などである。そのため、例えば、メッセージ内の標識に基づき、ワイヤレスデバイス１２１は、自身のその時点のＣＳＩ測定結果の蓄積及び平均化を停止し、空のＣＳＩバッファで再開して、ＣＳＩ推定を決定するために新たなＣＳＩ測定結果を収集し得る。よって、いくつかの実施形態によれば、既存のＣＳＩ推定を破棄するための標識が受信される場合、ワイヤレスデバイス１２１は、全ての既存のＣＳＩ推定を破棄し、新たなＣＳＩ推定を決定してもよい。これは、少なくとも１つのＣＳＩプロセスに関連付けられるＣＳＩ−ＲＳリソースを介して決定される既存のＣＳＩ推定、即ちＣＳＩ−ＲＳバッファ、及び、少なくとも１つのＣＳＩプロセスに関連付けられるＣＳＩ−ＩＭリソースを介して決定される既存のＣＳＩ推定、即ちＣＳＩ−ＩＭバッファ、の双方を破棄することを含んでもよい。
【００６４】
代替的に、上記メッセージ内の標識が少なくとも１つのＣＳＩプロセスに関連付けられる少なくともＣＳＩ−ＲＳリソースを介して決定されるＣＳＩ推定を破棄するように示している場合、ワイヤレスデバイス１２１は、少なくとも１つのＣＳＩプロセスに関連付けられる少なくともＣＳＩ−ＲＳリソースを介して決定された既存のＣＳＩ推定を破棄してよい。ここで、ワイヤレスデバイス１２１は、少なくともＣＳＩプロセスに関連付けられるＣＳＩ−ＲＳリソースを介して決定される既存のＣＳＩ推定のみを破棄してよく、即ち、ＣＳＩ−ＲＳバッファの内容をフラッシュし及び新たなＣＳＩ推定を決定してよい。
【００６５】
さらに、上記メッセージ内の標識が少なくとも１つのＣＳＩプロセスに関連付けられる少なくともＣＳＩ−ＩＭリソースを介して決定されるＣＳＩ推定を破棄するように示している場合、ワイヤレスデバイス１２１は、少なくとも１つのＣＳＩプロセスに関連付けられる少なくともＣＳＩ−ＩＭリソースを介して決定された既存のＣＳＩ推定を破棄してよい。ここで、ワイヤレスデバイス１２１は、少なくともＣＳＩプロセスに関連付けられるＣＳＩ−ＩＭリソースを介して決定される既存のＣＳＩ推定のみを破棄してよく、即ち、ＣＳＩ−ＩＭバッファの内容をフラッシュし及び新たなＣＳＩ推定を決定してよい。
【００６６】
いくつかの実施形態において、上記メッセージ内の標識が決定される時間ピリオドに対応するＣＳＩ推定を使用するように示している場合に、ワイヤレスデバイス１２１は、いくつかの実施形態に従い、決定される時間ピリオドに対応しない既存のＣＳＩ推定を破棄し、及び決定される時間ピリオドに対応する新たなＣＳＩ推定を決定してよい。決定される時間ピリオドの標識は、例えば、ｎビットのフィールドであってもよく、当該フィールドは、ミリ秒又は他の何らかの適した時間スケールで、時間値の特定の範囲をカバーするｎの何らかの値のためのものである。決定される時間ピリオドの標識は、インデックス又はインジケータを特定の時間値に相関させるワイヤレスデバイス１２１内のテーブルに関する、複数のインデックス又は複数のインジケータのレンジのうちの一部をなすインデックス又はインジケータであってもよい。
【００６７】
留意すべきこととして、決定される時間ピリオドの標識は、既存のＣＳＩ測定結果及び決定される時間ピリオドの範囲内で得られる新たなＣＳＩ測定結果の双方がワイヤレスデバイス１２１によりＣＳＩ推定を決定する際に使用されるべきであること、又は、決定される時間ピリオドの範囲内で得られる新たなＣＳＩ測定結果のみがワイヤレスデバイス１２１によりＣＳＩ推定を決定する際に使用されるべきであること、を指し示してもよい。
【００６８】
［アクション３０３］
このオプションとしてのアクションにおいて、ワイヤレスデバイス１２１は、ネットワークノード１１０へ、決定される時間ピリオドの確認を送信し得る。これは、ワイヤレスデバイス１２１が決定される時間ピリオドに対応するＣＳＩ推定を使用するための標識を含むメッセージをアクション３０１において受信したケースで実行され得る。上記確認は、例えば、別個のメッセージとして送信されてもよく、又はネットワークノード１１０へのＣＳＩレポートの一部として送信されてもよい。
【００６９】
無線通信ネットワーク１００内のネットワークノード１１０へ、ワイヤレスデバイス１２１のために構成される少なくとも１つのＣＳＩプロセスについてのＣＳＩレポート内で送信されるべきＣＳＩ推定を決定するための、ワイヤレスデバイス１２１における方法のアクションを実行するために、第１のワイヤレスデバイス１２１は、図４に描かれた以下の構成を含み得る。図４は、第１のワイヤレスデバイス１２１の実施形態の概略ブロック図を示している。いくつかの実施形態において、第１のワイヤレスデバイス１２１は、送受信モジュール４０１及び決定モジュール４０２を備え得る。いくつかの実施形態において、第１のワイヤレスデバイス１２１は、処理モジュール、処理ユニット又はプロセッサとしても言及され得る処理回路４１０を含み得る。処理回路４１０は、送受信モジュール４０１及び決定モジュール４０２のうちの１つ以上を含み、並びに／又は、以下に説明するそれら機能を自ら実行し得る。
【００７０】
第１のワイヤレスデバイス１２１は、例えば送受信モジュール４０１の手段により、既存のＣＳＩ推定を破棄するための標識及び／又は決定される時間ピリオドに対応するＣＳＩ推定を使用するための標識を含むメッセージを受信する、ように構成される。また、第１のワイヤレスデバイス１２１は、例えば決定モジュール４０２の手段により、受信される標識に従って、ネットワークノード１１０へのＣＳＩレポートにおいて使用すべきＣＳＩ推定を決定する、ように構成される。
【００７１】
いくつかの実施形態において、第１のワイヤレスデバイス１２１／決定モジュール４０２は、既存のＣＳＩ推定を破棄するための標識が受信される場合に、既存の全てのＣＳＩ推定を破棄し、及び新たなＣＳＩ推定を決定する、ように構成され得る。いくつかの実施形態において、第１のワイヤレスデバイス１２１／決定モジュール４０２は、メッセージ内の上記標識が少なくとも１つのＣＳＩプロセスに関連付けられる少なくともＣＳＩ−ＲＳリソースを介して決定されたＣＳＩ推定を破棄するように示している場合に、少なくとも１つのＣＳＩプロセスに関連付けられる少なくともＣＳＩ−ＲＳリソースを介して決定された既存のＣＳＩ推定を破棄する、ようにさらに構成され得る。いくつかの実施形態において、第１のワイヤレスデバイス１２１／決定モジュール４０２は、メッセージ内の上記標識が少なくとも１つのＣＳＩプロセスに関連付けられる少なくともＣＳＩ−ＩＭリソースを介して決定されたＣＳＩ推定を破棄するように示している場合に、少なくとも１つのＣＳＩプロセスに関連付けられる少なくともＣＳＩ−ＩＭリソースを介して決定された既存のＣＳＩ推定を破棄する、ようにさらに構成され得る。
【００７２】
いくつかの実施形態において、第１のワイヤレスデバイス１２１／送受信モジュール０１は、上記メッセージを、少なくとも１つのＣＳＩプロセスを再構成するための無線リソース制御（ＲＲＣ）再構成メッセージの一部として、少なくとも１つのＣＳＩプロセスを再構成するためのブロードキャストされる再構成メッセージの一部として、又はダウンリンク制御情報（ＤＣＩ）の一部として受信する、ように構成され得る。
【００７３】
いくつかの実施形態において、第１のワイヤレスデバイス１２１／決定モジュール４０２は、メッセージ内の上記標識が決定される時間ピリオドに対応するＣＳＩ推定を使用するように示している場合に、決定される時間ピリオドに対応しない既存のＣＳＩ推定を破棄し、及び決定される時間ピリオドに対応する新たなＣＳＩ推定を決定する、ように構成され得る。このケースにおいて、第１のワイヤレスデバイス１２１／決定モジュール４０２は、ネットワークノード１１０へ決定される時間ピリオドの確認を送信する、ようにさらに構成され得る。
【００７４】
図４におけるワイヤレスデバイス１２１は、無線通信ネットワーク１００内のネットワークノード１１０へ、ワイヤレスデバイス１２１のために構成される少なくとも１つのＣＳＩプロセスについてのＣＳＩレポート内で送信されるべきＣＳＩ推定を決定するためのワイヤレスデバイス１２１であって、既存のＣＳＩ推定を破棄するための標識及び／又は決定される時間ピリオドに対応するＣＳＩ推定を使用するための標識を含むメッセージを受信するための送受信モジュール４１０と、受信される標識に従って、ネットワークノード１１０へのＣＳＩレポートにおいて使用すべきＣＳＩ推定を決定するための決定モジュール４０２と、を備えるワイヤレスデバイス１２１として説明されてもよい。また、送受信モジュール４０１は、ネットワークノード１１０へ決定される時間ピリオドの確認を送信してもよい。
【００７５】
ワイヤレスデバイス１２１のために構成される少なくとも１つのＣＳＩプロセスについてのＣＳＩレポート内で送信されるべきＣＳＩ推定を決定するための実施形態は、例えば図４に描かれた第１のワイヤレスデバイス１２１内の処理回路４１０などの１つ以上のプロセッサと共に、ここでの実施形態の機能及びアクションを実行するためのコンピュータプログラムコードを通じて実装されてもよい。上で言及したプログラムコードは、例えば、第１のワイヤレスデバイス１２１内の処理回路４１０へロードされた場合にここでの実施形態を実行するためのコンピュータプログラムコード又はコード手段を担持するデータキャリアの形式の、コンピュータプログラムプロダクトとして提供されてもよい。コンピュータプログラムコードは、例えば、第１のワイヤレスデバイス１２１内の純粋なプログラムコードとして提供されてもよく、又はサーバ上にあって第１のワイヤレスデバイス１２１へダウンロードされてもよい。上記担体は、電子信号、光信号、無線信号、又は、例えばＲＡＭ、ＲＯＭ、フラッシュメモリ、磁気テープ、ＣＤ−ＲＯＭ、ＤＶＤ、ブルーレイディスクなどの電子的なメモリといったコンピュータ読取可能な記憶媒体、のうちの１つであってよい。
【００７６】
第１のワイヤレスデバイス１２１は、さらに、１つ以上のメモリモジュール若しくはユニットとして言及され又は１つ以上のメモリモジュール若しくは又はユニットを含み得るメモリ４２０をさらに備え得る。メモリ４２０は、第１のワイヤレスデバイス１２１において実行される場合にここで説明した方法を行うための、実行可能な命令及びデータを記憶するために使用されるように構成され得る。また、上述した処理回路４１０及びメモリ４２０がアナログ及びデジタル回路の組み合わせを指してもよく、並びに／又は、処理回路４１０などの１つ以上のプロセッサにより実行される場合に上述した通りの方法を行う例えばメモリ４２０内に記憶されるソフトウェア及び／若しくはファームウェアと共に構成される１つ以上のプロセッサを指してもよいことを、当業者は理解するであろう。また、処理回路４１０及びメモリ４２０は、処理手段として言及されてもよい。それらプロセッサの１つ以上に加えて他のデジタルハードウェアは、単一のＡＳＩＣ（application-specific  integrated  circuit）内に含まれてもよく、又は、個別にパッケージ化されるかＳｏＣ（system-on-chip）へと組み立てられるかに関わらず、複数のプロセッサ及び多様なデジタルハードウェアが複数の別個のコンポーネントに分散されてもよい。
【００７７】
上述した点から理解され得ることとして、いくつかの実施形態は、例えば処理回路４１０又はモジュール４０１〜４０２などの少なくとも１つのプロセッサ上で実行される場合に、当該少なくとも１つのプロセッサに、ワイヤレスデバイス１２１のために構成される少なくとも１つのＣＳＩプロセスについてのＣＳＩレポートにおいて送信されるべきＣＳＩ推定を決定するための上記方法を遂行させる命令、を含むコンピュータプログラムプロダクトを含み得る。また、いくつかの実施形態は、上述したように、上記コンピュータプログラムを収容する担体をさらに含んでよく、当該担体は、電子信号、光信号、無線信号、又はコンピュータ読取可能な記憶媒体のうちの１つである。
【００７８】
無線通信ネットワーク１００内のネットワークノード１１０へ、１つ以上のワイヤレスデバイス１２１、１２２のために構成される少なくとも１つのＣＳＩプロセスのＣＳＩレポート内で１つ以上のワイヤレスデバイス１２１、１２２により送信されるＣＳＩ推定を制御するための、ネットワークノード１１０における方法のアクションを実行するために、ネットワークノード１１０は、図５に描かれた以下の構成を含み得る。
【００７９】
図５は、ネットワークノード１１０の実施形態の概略ブロック図を示している。いくつかの実施形態において、ネットワークノード１１０は、判定モジュール５０１及び送受信モジュール５０２を備え得る。いくつかの実施形態において、ネットワークノード１１０は、処理モジュール、処理ユニット又はプロセッサとしても言及され得る処理回路５１０を含み得る。処理回路５１０は、判定モジュール５０１及び送受信モジュール５０２のうちの１つ以上を含み、並びに／又は、以下に説明するそれら機能を実行し得る。
【００８０】
ネットワークノード１１０は、例えば判定モジュール５０１の手段により、１つ以上のワイヤレスデバイス１２１、１２２からのＣＳＩ推定が少なくとも１つの送信条件の変化に起因してもはや有効ではないことを判定する、ように構成される。また、ネットワークノード１１０は、例えば送受信モジュール５０２の手段により、１つ以上のワイヤレスデバイス１２１、１２２へ、既存のＣＳＩ推定を破棄するための標識及び／又は決定される時間ピリオドに対応するＣＳＩ推定を使用するための標識を含むメッセージを送信する、ように構成される。
【００８１】
いくつかの実施形態において、ネットワークノード１１０／送受信モジュール５０２は、無線通信ネットワーク１００内の１つ以上のワイヤレスデバイス１２１、１２２へのビーム形成送信のために構成され、少なくとも１つの送信条件の上記変化は、１つ以上のワイヤレスデバイス１２１、１２２へのビーム形成送信において使用される送信ビームの変化であってよい。いくつかの実施形態において、少なくとも１つの送信条件の上記変化は、１つ以上のワイヤレスデバイス１２１、１２２が位置するセル１１５内のトラフィック状況の変化であってもよい。いくつかの実施形態において、少なくとも１つの送信条件の上記変化は、決定される時間ピリオドの変化であってもよい。
【００８２】
いくつかの実施形態において、上記メッセージは、少なくとも１つのＣＳＩプロセスに関連付けられる少なくともＣＳＩ−ＲＳリソースを介して決定されるＣＳＩ推定を破棄するための標識を含んでもよい。いくつかの実施形態において、上記メッセージは、少なくとも１つのＣＳＩプロセスに関連付けられる少なくともＣＳＩ−ＩＭリソースを介して決定されるＣＳＩ推定を破棄するための標識を含んでもよい。
【００８３】
いくつかの実施形態において、ネットワークノード１１０／送受信モジュール５０２は、少なくとも１つのＣＳＩプロセスを再構成するための無線リソース制御（ＲＲＣ）再構成メッセージの一部として、少なくとも１つのＣＳＩプロセスを再構成するためのブロードキャストされる再構成メッセージの一部として、又はダウンリンク制御情報（ＤＣＩ）の一部として、上記メッセージを送信する、ように構成されてもよい。
【００８４】
いくつかの実施形態において、上記メッセージは、決定される時間ピリオドに対応するＣＳＩ推定を使用するための標識を含んでもよい。いくつかの実施形態において、上記メッセージは、決定される時間ピリオドの標識を含んでもよい。いくつかの実施形態において、ネットワークノード１１０／送受信モジュール５０２は、１つ以上のワイヤレスデバイス１２１、１２２から、決定される時間ピリオドの確認を受信する、ように構成されてもよい。
【００８５】
図５におけるネットワークノード１１０は、１つ以上のワイヤレスデバイス１２１、１２２により無線通信ネットワーク１００内のネットワークノード１１０へ、１つ以上のワイヤレスデバイス１２１、１２２のために構成される少なくとも１つのＣＳＩプロセスのＣＳＩレポート内で送信されるＣＳＩ推定を制御するための、ネットワークノード１１０であって、１つ以上のワイヤレスデバイス１２１、１２２からの上記ＣＳＩ推定が少なくとも１つの送信条件の変化に起因してもはや有効ではないことを判定するための判定モジュール５０１と、１つ以上のワイヤレスデバイス１２１、１２２へ、既存のＣＳＩ推定を破棄するための標識及び／又は決定される時間ピリオドに対応するＣＳＩ推定を使用するための標識を含むメッセージを送信するための送受信モジュール５０２と、を備えるネットワークノード１１０として説明されてもよい。
【００８６】
ＣＳＩレポート内で１つ以上のワイヤレスデバイス１２１、１２２により送信されるＣＳＩ推定を制御するための実施形態は、例えば図５に描かれたネットワークノード１１０内の処理回路５１０などの１つ以上のプロセッサと共に、ここでの実施形態の機能及びアクションを実行するためのコンピュータプログラムコードを通じて実装されてもよい。上で言及したプログラムコードは、例えば、ネットワークノード１１０内の処理回路５１０へロードされた場合にここでの実施形態を実行するためのコンピュータプログラムコード又はコード手段を担持するデータキャリアの形式の、コンピュータプログラムプロダクトとして提供されてもよい。コンピュータプログラムコードは、例えば、ネットワークノード１１０内の純粋なプログラムコードとして提供されてもよく、又はサーバ上にあってネットワークノード１１０へダウンロードされてもよい。上記担体は、電子信号、光信号、無線信号、又は、例えばＲＡＭ、ＲＯＭ、フラッシュメモリ、磁気テープ、ＣＤ−ＲＯＭ、ＤＶＤ、ブルーレイディスクなどの電子的なメモリといったコンピュータ読取可能な記憶媒体、のうちの１つであってよい。
【００８７】
よって、ネットワークノード１１０は、１つ以上のメモリモジュール若しくはユニットとして言及され又は１つ以上のメモリモジュール若しくは又はユニットを含み得るメモリ５２０をさらに備え得る。メモリ５２０は、ネットワークノード１１０、処理回路５１０及び／又はモジュール群５０１〜５０２において実行される場合にここで説明した方法を行うための、実行可能な命令及びデータを記憶するために使用されるように構成され得る。また、上述した処理回路５１０及びメモリ５２０がアナログ及びデジタル回路の組み合わせを指してもよく、並びに／又は、処理回路５１０及び／若しくはモジュール群５０１〜５０２などの１つ以上のプロセッサにより実行される場合に上述した通りの方法を当該１つ以上のプロセッサに行わせる、例えばメモリ５２０内に記憶されるソフトウェア及び／若しくはファームウェアと共に構成される１つ以上のプロセッサを指してもよいことを、当業者は理解するであろう。また、処理回路５１０及びメモリ５２０は、処理手段として言及されてもよい。それらプロセッサの１つ以上に加えて他のデジタルハードウェアは、単一のＡＳＩＣ（application-specific  integrated  circuit）内に含まれてもよく、又は、個別にパッケージ化されるかＳｏＣ（system-on-chip）へと組み立てられるかに関わらず、複数のプロセッサ及び多様なデジタルハードウェアが複数の別個のコンポーネントに分散されてもよい。
【００８８】
上述した点から理解され得ることとして、いくつかの実施形態は、例えば処理回路５１０又はモジュール５０１〜５０２などの少なくとも１つのプロセッサ上で実行される場合に、当該少なくとも１つのプロセッサに、ＣＳＩレポートにおいて１つ以上のワイヤレスデバイス１２１、１２２により送信されるＣＳＩ推定を制御するための上記方法を遂行させる命令、を含むコンピュータプログラムプロダクトを含み得る。また、いくつかの実施形態は、上述したように、上記コンピュータプログラムプロダクトを収容する担体をさらに含んでよく、当該担体は、電子信号、光信号、無線信号、又はコンピュータ読取可能な記憶媒体のうちの１つである。
【００８９】
添付図面に例示された具体的な実施形態の詳細な説明において使用されている専門用語は、説明されている方法、ワイヤレスデバイス１２１及びネットワークノード１１０を限定することを意図しておらず、それは代わりに添付の特許請求の範囲の視点から解釈されるべきである。
【００９０】
ここで使用されるところでは、“and/or（及び／又は）”との用語は、関連付けて列挙された事項のうちの１つ以上のありとあらゆる組み合わせを含む。
【００９１】
さらに、ここで使用されるところでは、ラテン語のフレーズ“exempli  gratia”に由来する“e.g.（例えば）”という共通的な省略形は、その前に言及された事項の一般的な１つ又は複数の例を紹介し又は特定するために用いられ、そのような事項を限定することは意図されない。ラテン語のフレーズ“id  est”に由来する共通的な省略形“i.e.（即ち）”は、ここで使用される場合、より一般的な記述から具体的な事項を特定するために用いられ得る。“及びその他のもの”又は“など”を意味するラテン語表現“et  cetera”に由来する“etc.（など）”という共通的な省略形は、ここでは、直前に挙示されたものに類似するさらなる特徴が存在することを示すために使用されているかもしれない。
【００９２】
ここで使用されるところでは、単数形の“a”、“an”及び“the”は、明示的な別段の記述の無い限り、複数形も同様に含むことが意図される。さらに理解されるであろうこととして、“includes（含む）”、“comprises（含む／備える）”、“including（含む）”及び／又は“comprising（含む／備える）”との用語は、本明細書において使用される場合、記述された特徴、アクション、整数、ステップ、動作、要素及び／又はコンポーネントの存在を特定し、但し１つ以上の他の特徴、アクション、整数、ステップ、動作、要素、コンポーネント及び／又はそれらの集合の存在又は追加を排除しない。
【００９３】
別段の定義の無い限り、ここで使用されている技術的用語及び学術的用語は、説明された実施形態が属する分野における当業者により共通的に理解されるものと同じ意味を有する。さらに、一般に使用される辞書において定義されるような用語は、関連技術の文脈における意味と整合する意味を有するものとして解釈されるべきであって、明示的にそのようにここで定義されない限り、理想化され又は過度に型通りの意味で解釈されないことが理解されるであろう。
【００９４】
ここでの実施形態は、上述した好適な実施形態に限定されない。多様な変形、修正及び均等物が使用されてよい。従って、上の実施形態は、限定的なものとして解釈されるべきではない。
【００９５】
［略語］
ＣＱＩ        Channel-Quality  Indicator
ＣＳＩ        Channel-State  Information
ＣＳＩ−ＩＭ  Channel-State  Information  -  Interference  Measurement
ＣＳＩ−ＲＳ  Channel-State  Information  -  Reference  Signal
ＤＬ          Downlink
ＤＭＲＳ      Demodulation  Reference  Signals
ｅＮＢ        evolved  NodeB
ｅＰＤＣＣＨ  enhanced  Physical  Downlink  Control  Channel
ＦＤＤ        Frequency-Division  Duplex
ＬＴＥ        Long-Term  Evolution
ＰＤＣＣＨ    Physical  Downlink  Control  Channel
ＰＭＩ        Precoding  Matrix  Indicator
ＲＩ          Rank  Indicator
ＲＲＣ        Radio  Resource  Control
ＴＤＤ        Time-Division  Duplex
ＴＴＩ        Transmission-Time  Interval
ＵＥ          User  Equipment
ＵＬ          Uplink
ＺＰ          Zero  Power
【図１】
0006420375.tif 000002
【図２】
0006420375.tif 000003
【図３】
0006420375.tif 000004
【図４】
0006420375.tif 000005
【図５】
0006420375.tif 000006